(57)【要約】【課題】茸の栽培に適した環境を簡易な構成により設定し、人工的に茸の成長を促進させる茸菌床栽培施設及び茸菌床栽培方法を提供する。【解決手段】茸菌床栽培施設１は、接種菌床体１０が収納された容器１１を、温度制御手段１３により室内温度を設定された第１温度範囲（Ｔ１）内に制御して一定の時間育成する第１育成室２と、接種菌床体１０が収納された容器１１を、室内温度管理手段２０により室内温度を第１温度範囲（Ｔ１）よりも低い温度である設定された第２温度範囲（Ｔ２）内に制御して一定の時間育成する第２育成室３と、容器１１内の接種菌床体１０に散水する散水室４と、茸菌床栽培施設１内に設けられた搬送手段６と、を備え、搬送手段６は、複数の台車１２にそれぞれ配置された複数の容器１１を、散水室４を経由させながら第１育成室２と第２育成室３とを交互に巡回させる。【選択図】図１
2010011758.tif 000002
【特許請求の範囲】
【請求項１】
おが屑と茸栄養源とを混合して固形にした菌床体に種菌を接種し、その接種菌床体を容器に収納して熟成させて茸の栽培を行う茸菌床栽培施設において、
接種菌床体が収納された容器を、室内温度管理手段により室内温度を第１の温度範囲内に制御して一定時間育成する第１の育成室と、
接種菌床体が収納された容器を、室内温度管理手段により室内温度を第１の温度範囲よりも低い温度である第２の温度範囲に制御して一定時間育成する第２の育成室と、
容器内の接種菌床体に散水する散水室と、
茸菌床栽培施設内に設けられた搬送手段と、を備え、
搬送手段は、複数の台車上にそれぞれ配置された複数の容器を、散水室を経由させながら第１の育成室と第２の育成室とを交互に巡回させることを特徴とする茸菌床栽培施設。
【請求項２】
請求項１に記載の茸菌床栽培施設であって、搬送手段は、茸菌床栽培施設の床面に設けられたガイドレールと、台車に設けられた車輪と、駆動装置とから構成され、茸菌床栽培施設内において平面的に台車を巡回させることを特徴とする茸菌床栽培施設。
【請求項３】
請求項１に記載の茸菌床栽培施設であって、搬送手段は、茸菌床栽培施設の天井面に設けられたガイドレールと、ガイドレールに台車を懸垂させる車輪と、駆動装置とから構成され、茸菌床栽培施設内において平面的に台車を巡回させることを特徴とする茸菌床栽培施設。
【請求項４】
請求項１乃至３のいずれか１に記載の茸菌床栽培施設であって、搬送手段は、複数の台車にそれぞれ配置された複数の容器のうち、熟成された茸が収納された容器を採取し、新たな接種菌床体が収納された容器を設置する採取室を経由させながら、第１の育成室と第２の育成室とを交互に巡回させることを特徴とする茸菌床栽培施設。
【請求項５】
請求項１乃至４のいずれか１に記載の茸菌床栽培施設であって、搬送手段は、ガイドレール又は車輪に台車に発生する振動を低減する防振手段を有することを特徴とする茸菌床栽培施設。
【請求項６】
請求項１乃至５のいずれか１に記載の茸菌床栽培施設であって、茸菌床栽培施設の出入口にはエアーシャワーが設置され、病害虫の茸菌床栽培施設内への侵入を防止することを特徴とする茸菌床栽培施設。
【請求項７】
請求項１乃至６のいずれか１に記載の茸菌床栽培施設であって、第１の育成室及び第２の育成室は、それぞれ茸菌床栽培施設内の他の室と空間的に仕切られ、室内温度管理手段は、室内を加熱冷却する空気調和機と、室内温度を計測する温度センサと、空気調和機を制御して室内温度をそれぞれ第１の温度範囲内又は第２の温度範囲内に保持する温度制御部と、から構成されることを特徴とする茸菌床栽培施設。
【請求項８】
請求項１乃至７のいずれか１に記載の茸菌床栽培施設であって、第１の育成室及び第２の育成室は、室内を加湿する加湿器と、室内湿度を計測する湿度センサと、空気調和機を制御し室内湿度を所定の範囲内に保持させる湿度制御部と、から構成される室内湿度管理手段を有することを特徴とする茸菌床栽培施設。
【請求項９】
請求項１乃至８のいずれか１に記載の茸菌床栽培施設であって、第１の育成室及び第２の育成室は、室内の照明設備と、室内の照度を一定時間の間に一定の照度範囲に保持する照度制御部と、から構成される室内照度管理手段を有することを特徴とする茸菌床栽培施設。
【請求項１０】
請求項１乃至９のいずれか１に記載の茸菌床栽培施設であって、第１の育成室及び第２の育成室は、室内を換気する換気装置と、室内の二酸化炭素濃度を計測するＣＯ2濃度センサと、換気装置を制御し室内の二酸化炭素濃度を一定値以下に保持させる換気装置制御部と、からなる室内ＣＯ2濃度管理手段を有することを特徴とする茸菌床栽培施設。
【請求項１１】
請求項１乃至１０のいずれか１に記載の茸菌床栽培施設であって、第１の育成室及び第２の育成室は、負イオン及びオゾンを発生させる負イオン・オゾン発生器と、オゾン濃度センサと、室内のオゾン濃度を一定値以下に制御するオゾン濃度制御部と、からなる室内オゾン濃度管理手段を有することを特徴とする茸菌床栽培施設。
【請求項１２】
おが屑と茸栄養源とを混合して固形にした菌床体に種菌を接種し、その接種菌床体を容器に収納して熟成させて茸栽培を行う茸菌床栽培方法において、
接種菌床体が収納された複数の容器を順番に、第１の温度範囲内の状態で一定時間育成する第１の育成ステップと、
第１の育成ステップを終了した容器について、容器内の接種菌床体に散水する散水ステップと、
散水ステップを終了した容器について、第１の温度範囲よりも低い温度である第２の温度範囲の状態で一定時間育成する第２の育成ステップと、が循環され、
熟成した茸が収納された容器については、茸を採取するために上記循環から離脱されることを特徴とする茸菌床栽培方法。
【請求項１３】
請求項１２に記載の茸菌床栽培方法であって、接種菌床体が収納された複数の容器は、複数の台車上にそれぞれ配置され、搬送手段により茸菌床栽培施設内において平面的に各ステップを循環することを特徴とする茸菌床栽培方法。
【発明の詳細な説明】
【技術分野】
【０００１】
本発明は、茸菌床栽培施設及び茸菌床栽培方法に係り、特に、おが屑と茸栄養源とを混合して固形にした菌床体に種菌を接種し、その接種菌床体を容器に収納して熟成させて茸栽培を行う茸菌床栽培施設及び茸菌床栽培方法に関する。
【背景技術】
【０００２】
例えば、椎茸、マツタケ、シメジ、エノキタケなどの菌類（以下、「茸」と称す。）の栽培方法には、原木栽培、菌床栽培、堆肥栽培などがある。原木栽培とは、原木を培地として茸を育成して栽培する方法である。堆肥栽培とは、家畜の堆肥や藁を培地として茸を育成して栽培する方法である。一方、菌床栽培とは、おが屑と米糠などの栄養源を混ぜた人工の培地で茸を育成して栽培する方法である。
【０００３】
また、この菌床栽培では、茸を大量生産するために茸生産用の施設を設けて人工的な環境のなかで茸を栽培する人工栽培が行われている。この菌床栽培での人工栽培方法は、おが屑と茸栄養源とを混合して固形にした菌床体に種菌を接種し、その接種菌床体を容器に収納して熟成させて茸栽培を行うのが一般的である。この場合、おが屑には茸の原木栽培で使用済みとなった原木を粉砕したものなどが使用される。
【０００４】
この茸はもともと山林に自生しており、一般的に湿気の多い暗い場所を好む。従って、菌床栽培での人工栽培においては、この茸の好む自然環境を人工的に茸生産用の施設に設定するのが好ましい。この設定すべき環境要素には、温度管理、湿度管理、照度管理、ＣＯ2濃度管理などがあるが、オゾンなどの新鮮な空気を供給するためのオゾン濃度管理も含まれる。また、茸の人工栽培においては、茸に対して適切な水分を供給すること、茸にとって有害な病害虫の侵入を防止すること、さらに、茸が振動を受けないように扱うことなどが重要となる。
【０００５】
一方、特許文献１には、茸菌床栽培方法並びに、茸菌床栽培システム、及び、茸菌床栽培に使用される栽培場及び容器入り菌床体が開示されている。ここでは、接種菌床体の多数を、環境機械を有する覆い体内に搬入し、環境機械による特定環境の下で熟成させた後に、各容器入り接種菌床体の容器を開放し、この後、その接種菌床体に散水し茸を生えさせ成長させ採取することが記載されている。また、この覆い体内では、容器入りの接種菌床体を無限搬送手段により覆い体内で上下方向に循環移動させることが記載されている。
【０００６】
【特許文献１】特開２００２−２０４６２２号公報
【発明の開示】
【発明が解決しようとする課題】
【０００７】
菌床栽培を人工栽培で行う場合には、茸が生育する自然環境にできるだけ適合させた環境を設定しなければならない。一方、茸菌床栽培施設は簡易な構成による施設としなければならない。
【０００８】
本願の目的は、かかる課題を解決し、茸の栽培に適した環境を簡易な構成により設定し、人工的に茸の成長を促進させる茸菌床栽培施設及び茸菌床栽培方法を提供することである。
【課題を解決するための手段】
【０００９】
上記目的を達成するため、本発明に係る茸菌床栽培施設は、おが屑と茸栄養源とを混合して固形にした菌床体に種菌を接種し、その接種菌床体を容器に収納して熟成させて茸の栽培を行う茸菌床栽培施設において、接種菌床体が収納された容器を、室内温度管理手段により室内温度を第１の温度範囲内に制御して一定時間育成する第１の育成室と、接種菌床体が収納された容器を、室内温度管理手段により室内温度を第１の温度範囲よりも低い温度である第２の温度範囲に制御して一定時間育成する第２の育成室と、容器内の接種菌床体に散水する散水室と、茸菌床栽培施設内に設けられた搬送手段と、を備え、搬送手段は、複数の台車上にそれぞれ配置された複数の容器を、散水室を経由させながら第１の育成室と第２の育成室とを交互に巡回させることを特徴とする。
【００１０】
この構成により、容器内の接種菌床体は、日中の外気温を想定した比較的高温な第１の設定温度に制御され、日中を想定した一定時間の間育成される第１の育成室と、夜間の外気温を想定した比較的高温な第２の設定温度に制御され、夜間を想定した一定時間の間育成される第２の育成室とを巡回し、昼夜の気温の日較差、及び昼夜の時間差という自然環境に近い状態で熟成される。また、容器内の接種菌床体は、第１の育成室と第２の育成室とを巡回する際に、散水室を経由することで、日中を想定した第１の育成室と夜間を想定した第２の育成室との巡回の間において熟成に必要な水分が補給される。
【００１１】
また、茸菌床栽培施設は、搬送手段が、茸菌床栽培施設の床面に設けられたガイドレールと、台車に設けられた車輪と、駆動装置とから構成され、茸菌床栽培施設内において平面的に台車を巡回させることが好ましい。また、茸菌床栽培施設は、搬送手段が、茸菌床栽培施設の天井面に設けられたガイドレールと、ガイドレールに台車を懸垂させる車輪と、駆動装置とから構成され、茸菌床栽培施設内において平面的に台車を巡回させることが好ましい。これらにより、接種菌床体が収納された複数の容器は、搬送手段により茸菌床栽培施設内を自動的に巡回し、均質な茸が人手によらず栽培できる。また、茸菌床栽培施設内において平面的に台車を巡回させることで、簡易な構成により茸栽培をすることができる。そして、茸に対してほぼ同一の条件下で育成でき、偏りのない熟成栽培が実現できる。
【００１２】
また、茸菌床栽培施設は、搬送手段が、複数の台車にそれぞれ配置された複数の容器のうち、熟成された茸が収納された容器を採取し、新たな接種菌床体が収納された容器を設置する採取室を経由させながら、第１の育成室と第２の育成室とを交互に巡回させることが好ましい。これにより、接種菌床体が収納された容器は、一箇所において集中的に人手により交換でき、作業者の移動する範囲を減少させて茸の栽培に伴う労力が削減できる。
【００１３】
また、茸菌床栽培施設は、搬送手段が、ガイドレール又は車輪に台車に発生する振動を低減する防振手段を有することが好ましい。これにより、振動が好ましくない茸に対して、搬送に伴い台車に発生する振動などを低減することができる。
【００１４】
また、茸菌床栽培施設は、茸菌床栽培施設の出入口にはエアーシャワーが設置され、病害虫の茸菌床栽培施設内への侵入を防止することが好ましい。これにより、病害虫を嫌う茸に対して、作業員の出入りや接種菌床体の搬入又は搬出の際において、病害虫が茸菌床栽培施設内に侵入することを遮断することができ、衛生的な栽培が実現できる。
【００１５】
また、茸菌床栽培施設は、第１の育成室及び第２の育成室が、それぞれ茸菌床栽培施設内の他の室と空間的に仕切られ、室内温度管理手段が、室内を加熱冷却する空気調和機と、室内温度を計測する温度センサと、空気調和機を制御して室内温度をそれぞれ第１の温度範囲内又は第２の温度範囲内に保持する温度制御部と、から構成されることが好ましい。これにより、第１の育成室及び第２の育成室の温度制御を適切に行うことができ、茸の育成に適した自然環境の気温に近い環境を設定できる。
【００１６】
また、茸菌床栽培施設は、第１の育成室及び第２の育成室が、室内を加湿する加湿器と、室内湿度を計測する湿度センサと、空気調和機を制御し室内湿度を所定の範囲内に保持させる湿度制御部と、から構成される室内湿度管理手段を有することが好ましい。これにより、第１の育成室及び第２の育成室の湿度制御を適切に行うことができ、茸の育成に適した自然環境の湿り気に近い環境を設定できる。
【００１７】
また、茸菌床栽培施設は、第１の育成室及び第２の育成室が、室内の照明設備と、室内の照度を一定時間の間に一定の照度範囲に保持する照度制御部と、から構成される室内照度管理手段を有することが好ましい。これにより、室内照度を所定の範囲内に保持することができ、茸の育成に適した照度を設定できる。
【００１８】
また、茸菌床栽培施設は、第１の育成室及び第２の育成室が、室内を換気する換気装置と、室内の二酸化炭素濃度を計測するＣＯ2濃度センサと、換気装置を制御し室内の二酸化炭素濃度を一定値以下に保持させる換気装置制御部と、からなる室内ＣＯ2濃度管理手段を有することが好ましい。これにより、第１の育成室及び第２の育成室のＣＯ2濃度制御を適切に行うことができ、茸の育成に適した自然環境の空気に近い環境を設定できる。
【００１９】
さらに、茸菌床栽培施設は、第１の育成室及び第２の育成室が、負イオン及びオゾンを発生させる負イオン・オゾン発生器と、オゾン濃度センサと、室内のオゾン濃度を一定値以下に制御するオゾン濃度制御部と、からなる室内オゾン濃度管理手段を有することが好ましい。これにより、第１の育成室及び第２の育成室のオゾン濃度制御を適切に行うことができ、茸の育成に適した自然環境のオゾンに近い環境を設定できる。また、病害虫の発生を予防することができ衛生的な栽培が可能となる。
【００２０】
また、本発明に係る茸菌床栽培方法は、おが屑と茸栄養源とを混合して固形にした菌床体に種菌を接種し、その接種菌床体を容器に収納して熟成させて茸栽培を行う茸菌床栽培方法において、接種菌床体が収納された複数の容器を順番に、第１の温度範囲内の状態で一定時間育成する第１の育成ステップと、第１の育成ステップを終了した容器について、容器内の接種菌床体に散水する散水ステップと、散水ステップを終了した容器について、第１の温度範囲よりも低い温度である第２の温度範囲の状態で一定時間育成する第２の育成ステップと、が循環され、熟成した茸が収納された容器については、茸を採取するために上記循環から離脱されることを特徴とする。
【００２１】
この構成により、容器内の接種菌床体は、日中の外気温を想定した比較的高温な第１の室内温度のもとで、日中を想定した一定時間の間育成される第１の育成ステップと、夜間の外気温を想定した比較的高温な第２の設定温度に制御され、夜間を想定した一定時間の間育成される第２の育成ステップとが循環され、昼夜の気温の日較差、及び昼夜の時間差という自然環境に近い状態で熟成される。また、容器内の接種菌床体は、第１の育成ステップと第２の育成ステップとが循環される際に、散水ステップを経由することで、日中を想定した第１の育成ステップと夜間を想定した第２の育成ステップとの循環の間において熟成に必要な水分が補給される。
【００２２】
さらに、茸菌床栽培方法は、接種菌床体が収納された複数の容器は、複数の台車上にそれぞれ配置され、搬送手段により茸菌床栽培施設内において平面的に各ステップを循環することが好ましい。これにより、接種菌床体が収納された複数の容器は、搬送手段により茸菌床栽培施設内を自動的に巡回し、均質な茸が人手によらず栽培できる。また、茸菌床栽培施設内において平面的に台車を巡回させることで、簡易な構成により茸栽培をすることができる。そして、茸に対してほぼ同一の条件下で育成でき、偏りのない熟成栽培が実現できる。
【発明の効果】
【００２３】
以上のように、本発明に係る茸菌床栽培施設及び茸菌床栽培方法によれば、茸の栽培に適した環境を簡易な構成により設定し、人工的に茸の成長を促進させることが可能となる。
【発明を実施するための最良の形態】
【００２４】
以下に、図面を用いて本発明に係る茸菌床栽培施設の実施の形態につき、詳細に説明する。
【００２５】
図１に、茸菌床栽培施設の１つの実施形態の概略構成を茸菌床栽培施設の平面図で示す。また、図２に、図１の茸菌床栽培施設１のＡ−Ａ断面を示す。ここで、図２（ａ）は、茸菌床栽培施設１全体の断面であり、図２（ｂ）は、床面１８に設置されたガイドレール１４と台車１２の車輪９との関係を示す拡大断面である。さらに、図３には、接種菌床体１０が収納された容器１１が配置された台車１２の１つの実施例について示す。ここで、図３（ａ）は、容器１１が配置された台車１２の全体を示す透視図であり、図３（ｂ）は、接種菌床体１０が収納された容器１１を示す拡大透視図である。
【００２６】
茸菌床栽培施設１は、第１育成室２、第２育成室３、散水室４、及び採取室５の各室から構成される。また、茸菌床栽培施設１は、ガイドレール１４、車輪９などから構成される搬送手段６を備える。
【００２７】
第１育成室２では、接種菌床体１０が収納された容器１１が配置された台車１２ａを、後述する室内温度管理手段２０により室内温度を第１温度範囲（Ｔ１±α）内に制御し、また、後述する室内湿度管理手段３０により室内の湿度を一定の範囲内に制御し、さらに、後述する室内照度管理手段６０により室内の照度を一定の範囲内に制御して一定時間育成する。また、第２育成室３では、接種菌床体１０が収納された容器１１が配置された台車１２ｂを、後述する室内温度管理手段２０により室内温度を第１温度範囲（Ｔ１±α）よりも低温である第２温度範囲（Ｔ２±β）内に制御し、また、後述する室内湿度管理手段３０により室内の湿度を一定の範囲内に制御し、さらに、後述する室内照度管理手段６０により室内の照度を一定の範囲内に制御して一定時間育成する。
【００２８】
本実施形態では、第１設定温度（Ｔ１）は略摂氏２２度程度であり、第１設定温度（Ｔ１）よりも低温である第２設定温度（Ｔ２）は略摂氏１５度程度である。また、設定温度（Ｔ１，Ｔ２）の範囲を示すα、βは、茸の生育に適切な範囲として予め設定される。これらの設定温度（Ｔ１、Ｔ２）については、茸の生育に適した気温の日較差から設定される。すなわち、第１設定温度（Ｔ１）を日中の外気温として想定し、第２設定温度（Ｔ２）を夜間の外気温として想定し、これらの設定温度を繰り返して茸に与える。さらに、この温度設定と共に室内照度を一定範囲内とすることで、人工栽培される茸を自然環境に近い状態で熟成させることができる。また、第１育成室２での育成時間は日中の時間を想定し、第２育成室３での育成時間は夜間の時間を想定し、これらの育成時間の割合を保ちながら繰り返して茸に与え、１回の巡回にかかる時間を短縮することで人工栽培される茸を早期栽培させることができる。本実施形態では、１日に３回第１育成室２と第２育成室３とを巡回させることで茸の早期栽培を可能とする。
【００２９】
散水室４では、台車１２に配置された容器１１内の接種菌床体１０に散水装置２０により散水する。採取室５では、熟成された茸が収納された容器１１を採取して新たな接種菌床体１０が収納された容器１１に交換する。
【００３０】
図１及び図２（ｂ）に示すように、茸菌床栽培施設１の床面１８には床面１８から凹状に窪んだピットであるガイドレール１４が設置され、第１育成室２、第２育成室３、散水室４、及び採取室５の各室を巡回する。搬送手段６は、複数の台車１２上にそれぞれ配置された複数の容器１１を、散水室４を経由させながら第１育成室２と第２育成室３とを交互に巡回させることができる。本実施形態では、搬送手段６は、茸菌床栽培施設１の床面１８に設けられたガイドレール１４に車輪９付の台車１２を設置させ、茸菌床栽培施設１内において平面的に台車１２を巡回させる方式であるが、茸菌床栽培施設１の天井面１９に設けられたガイドレール１４に車輪９付の台車１２を懸垂させ、茸菌床栽培施設１内において平面的に台車１２を巡回させる方式であっても良い。
【００３１】
搬送手段６は、台車１２に発生する振動を低減する防振手段１５を有する。搬送手段６には台車１２に発生する振動を低減する防振手段１５ａ又は１５ｂが備えられる。この防振手段１５には、台車が床面１８に対して振動した場合に、振動を緩和する緩衝材、或いは振動エネルギを吸収する減衰材が用いられる。例えば、図２（ｂ）に示すように、床面１８に設置されたガイドレール１４に設けられた緩衝材１５ａであっても良い。また、台車１２と車輪９との間に設けられた減衰材１５ｂであっても良い。
【００３２】
第１育成室２は、茸菌床栽培施設１内の他の室である第２育成室３、散水室４、及び採取室５とは間仕切壁２３、電動シャッタ付き壁２４、及び天井面１９により空間的に仕切られる。そして、後述する室内温度管理手段２０により室内温度が第１温度範囲（Ｔ１±β）内に制御される。また、第２育成室３は、茸菌床栽培施設１内の他の室である第１育成室２、散水室４、及び採取室５とは間仕切壁２３、電動シャッタ付き壁２４、及び天井面１９により空間的に仕切られる。そして、後述する室内温度管理手段２０により室内温度が第２温度範囲（Ｔ２±β）内に制御される。他の実施例として、第１育成室２のみが他の室と仕切られ、第２育成室３は散水室４及び採取室５と一体となって室内温度管理手段２０により室内温度が第２温度範囲（Ｔ２±β）内に制御されても良い。
【００３３】
茸菌床栽培施設１の出入口７にはエアーシャワー８が設置され、病害虫の茸菌床栽培施設１内への侵入を防止する。すなわち、茸は病害虫により損傷を受けるため排除しなければならない。病害虫は茸菌床栽培施設１の出入口７を出入りする作業者、或いは出入口７から搬入、搬出される接種菌床体１０や台車１２と共に茸菌床栽培施設１内に侵入しやすい。従って、出入口７を出入りする作業者、或いは出入口７から搬入、搬出される接種菌床体１０や台車１２にエアーシャワー８を吹き付けることで病害虫の侵入を防止する。このエアーシャワー８は、病害虫以外にも塵埃が茸菌床栽培施設１内に侵入するのを防止する効果もある。
【００３４】
図４に、室内温度管理手段２０の構成を示す。第１育成室２及び第２育成室３は、室内温度管理手段２０を有する。この室内温度管理手段２０は、室内を加熱冷却する空気調和機２１と、室内温度を計測する温度センサ２２と、空気調和機２１を制御して室内温度をそれぞれ第１の温度範囲内または第２の温度範囲内に保持する温度制御部２３とから構成される。温度制御部２３は、第１育成室２及び第２育成室３内に設置された温度センサ２２の測定値に基づき、空気調和機２１により室内温度を第１温度範囲（Ｔ１±α）内又は第２温度範囲（Ｔ２±β）内に制御する。
【００３５】
図４に、室内湿度管理手段３０の構成を示す。第１育成室２及び第２育成室３は、室内湿度管理手段３０を有する。この室内湿度管理手段３０は、室内を加湿する加湿器３１と、室内湿度を計測する湿度センサ３２と、空気調和機２１を制御し室内湿度を所定の範囲内に保持させる湿度制御部３３と、から構成される。湿度制御部３３は、第１育成室２及び第２育成室３内に設置された湿度センサ３２の測定値に基づき、加湿器３１の制御により室内湿度を６０％〜９０％に制御する。
【００３６】
図４に、室内ＣＯ2濃度管理手段４０の構成を示す。第１育成室２及び第２育成室３は、室内ＣＯ2濃度管理手段４０を有する。この室内ＣＯ2濃度管理手段４０は、室内を換気する換気装置４１と、室内の二酸化炭素濃度を計測するＣＯ2濃度センサ４２と、換気装置を制御し室内の二酸化炭素濃度を一定値以下に保持させる換気装置制御部４３とから構成される。換気装置制御部４３は、第１育成室２及び第２育成室３内に設置されたＣＯ2濃度センサ４２の測定値に基づき、換気装置４１の制御により室内のＣＯ2濃度を制御する。
【００３７】
本実施形態では、換気方法として図５にその概念を示すロスナイによる換気方法を用いる。ロスナイによる換気方法とは、換気と吸気との間で熱交換を行いながら室内の温度及び湿度に近づけて外気を取り入れる方式であり、換気による室内温度及び湿度の変化を最小限に抑える方式である。図５に示すように、ロスナイ４４の内部は４室に仕切られ、室外側には排気送風機４６が、室内側には給気送風機４５が設けられている。ロスナイエレメント４７は、特殊加工紙からなる全透過式交換器である。外気は給気送風機４５の稼動により吸引されプレフィルタ４８によりフィルタにかけられた後に室内給気となる。一方、室内気は排気送風機４６の稼動により吸引されプレフィルタ４８によりフィルタにかけられた後に排気となる。この２つの流路はロスナイエレメント４７で交差し、そこで外気と室内気は相互に熱交換される。
【００３８】
図４に、室内照度管理手段６０の構成を示す。第１育成室２及び第２育成室３は、室内照度管理手段６０を有する。この室内照度管理手段６０は、室内に設けられた照明設備６１と、照度計６２と、室内の照度を一定時間の間一定の範囲に保持する照度制御部６３とから構成される。照度制御部６３は、第１育成室２及び第２育成室３内に設置された照度計６２の測定値に基づき、照明設備６１の制御により室内の照度を制御する。
【００３９】
図４に、室内オゾン濃度管理手段５０の構成を示す。第１育成室２及び第２育成室３は、室内オゾン濃度管理手段５０を有する。この室内オゾン濃度管理手段５０は、負イオン及びオゾンを発生させる負イオン・オゾン発生器５１と、オゾン濃度センサ５２と、室内のオゾン濃度を一定値以下に制御するオゾン濃度制御部５３とから構成される。オゾン濃度制御部５３は、第１育成室２及び第２育成室３内に設置されたオゾン濃度センサ５２の測定値に基づき、負イオン・オゾン発生器５１の制御により室内のオゾン濃度を制御する。
【００４０】
図６に負イオン・オゾン発生器５１の概要を示す。負イオン・オゾン発生器５１は、パルス発生回路５４から放電線５５に負極の高電圧パルス（パルス電圧）を印加しつつ、モータ５６により回転駆動されるファン５７により放電線５５に送風することで、放電線５４から負イオンとオゾンが発生する。すなわち、負イオン・オゾン発生器５１は、その際に放電空間に生じる無数のコロナ放電のエネルギにより空気中の酸素（Ｏ2）を変化させてオゾン（Ｏ3）を発生させる。また、その際に酸素分子等が電子と衝突してイオン化し負イオンが発生する。
【００４１】
図７に、茸菌床栽培方法の１つの実施形態の概略構成をフローチャートで示す。種菌床体が収納された複数の容器１１を順番に、第１温度範囲（Ｔ１±α）内の条件で一定時間育成する（Ｓ１）。Ｓ１を終了した容器１１について、容器１１内の接種菌床体１０に散水する（Ｓ２）。Ｓ２を終了した容器１１について、第１温度範囲（Ｔ１）よりも低い温度である第２温度範囲（Ｔ２±β）内の条件で一定時間育成する（Ｓ３）。茸の熟成が完了した容器１１かを判断する（Ｓ４）。茸の熟成が完了した容器１１である場合には、熟成した茸が収納された容器１１を採取する（Ｓ５）。そして、新たな接種菌床体１０を収納した容器１１を台車１２に配置する（Ｓ６）。茸の熟成が完了していない容器１１である場合には、Ｓ１にもどり容器１１を再度Ｓ１〜Ｓ３に循環させる。
【００４２】
接種菌床体１０が収納された複数の容器１１は、複数の台車１２上にそれぞれ配置され、搬送手段６により茸菌床栽培施設１内において平面的に上記ステップ（Ｓ１）〜（Ｓ３）を循環する。
【図面の簡単な説明】
【００４３】
【図１】本発明に係る茸菌床栽培施設の１つの実施形態の概略構成を示す平面図である。
【図２】図１の茸菌床栽培施設のＡ−Ａ断面を示す断面図である。
【図３】接種菌床体が収納された容器が配置された台車の１つの実施例について示す透視図である。
【図４】室内温度管理手段、室内湿度管理手段、室内照度管理手段、室内ＣＯ2濃度管理手段、及び室内オゾン濃度管理手段の構成を示すブロック図である。
【図５】ロスナイによる換気方法の原理を示す概念図である。
【図６】負イオン・オゾン発生器の概要を示す説明図である。
【図７】茸菌床栽培方法を示すフローチャートである。
【符号の説明】
【００４４】
１  茸菌床栽培施設、２  第１育成室、３  第２育成室、４  散水室、５  採取室、６  搬送手段、７  出入口、８  エアーシャワー、９  車輪、１０  接種菌床体、１１  容器、１２ａ，１２ｂ，１２ｃ，１２ｄ  台車、１３  散水装置、１４  ガイドレール、１５ａ，１５ｂ  防振手段（緩衝材）、１６  間仕切壁、１７  電動シャッタ付き間仕切壁、１８  床面、１９  天井面、２０  室内温度管理手段、２１  空気調和機、２２  温度センサ、２３  温度制御部、３０  室内湿度管理手段、３１  加湿器、３２  湿度センサ、３３  湿度制御部、４０  室内ＣＯ2濃度管理手段、４１  換気装置、４２  ＣＯ2濃度センサ、４３  オゾン濃度制御部、４４  ロスナイ、４５  給気送風機、４６  排気送風機、４７  ロスナイエレメント、４８  プレフィルタ、５０  室内オゾン濃度管理手段、５１  負イオン・オゾン発生器、５２  オゾン濃度センサ、５３  オゾン濃度制御部、５４  パルス発生回路、５５  放電線、５６，５７  モータ、６０  室内照度管理手段、６１  照度設備、６２  照度計、６３  照度制御部。
【図１】
2010011758.tif 000003
【図２】
2010011758.tif 000004
【図３】
2010011758.tif 000005
【図４】
2010011758.tif 000006
【図５】
2010011758.tif 000007
【図６】
2010011758.tif 000008
【図７】
2010011758.tif 000009